(57)【要約】【課題】不使用時に、容易に折畳んでコンパクトに収納することができる物干し用雨よけ具を提供する。【解決手段】下方開口状の三角屋根付家型の使用状態に展開可能なシート体１と、シート体１を三角屋根付家型に保持するための補強芯材２と、を備える。補強芯材２は、物干竿Ｙに上方から嵌込んで弾発挟持する弯曲状外嵌部４と、シート体１の屋根部１ａの長手方向端縁部１ｂに取着されて三角屋根形状を保持するために弯曲状外嵌部４から前後方向に下方傾斜状に延設された一対の延伸腕部３とを、備えている。【選択図】図１
0003210045.tif 000002
【実用新案登録請求の範囲】
【請求項１】
下方開口状の三角屋根付家型の使用状態に展開可能なシート体（１）と、該シート体（１）を上記三角屋根付家型に保持するための補強芯材（２）と、を備え、
上記補強芯材（２）は、物干竿（Ｙ）に上方から嵌込んで弾発挟持する弯曲状外嵌部（４）と、上記シート体（１）の屋根部（１ａ）の長手方向端縁部（１ｂ）に取着されて三角屋根形状を保持するために上記弯曲状外嵌部（４）から前後方向に下方傾斜状に延設された一対の延伸腕部（３）とを、備えていることを特徴とする物干し用雨よけ具。
【請求項２】
下方開口状の三角屋根付家型の使用状態に展開可能なシート体（１）と、該シート体（１）を上記三角屋根付家型に保持するための補強芯材（２）と、を備え、
上記補強芯材（２）が、２つの補強芯材半体（12）を相互に枢結したものであって、
各上記補強芯材半体（12）が、上記２つの補強芯材半体（12）が共働して物干竿（Ｙ）を掴持するための掴持部（13）と、三角屋根形状を保持するために上記掴持部（13）から延設された延伸腕部（14）を、備え、
上記２つの補強芯材半体（12）が、弾発バネ（15）によって、２つの上記掴持部（13）が物干竿（Ｙ）を掴持する方向へ弾発付勢されていることを特徴とする物干し用雨よけ具。
【請求項３】
上記シート体（１）の側面膜部（５）を、着脱自在とした請求項１又は２記載の物干し用雨よけ具。
【考案の詳細な説明】
【技術分野】
【０００１】
本考案は、物干し用雨よけ具に関する。
【背景技術】
【０００２】
以前、本出願人は、物干竿に干した洗濯物が外出中に雨によって濡れることを防止するための物干し用雨よけ具を提案した（例えば、特許文献１参照）。
【０００３】
しかし、厚さ寸法が３mm〜６mmと肉厚なので、不使用時に折畳み難いという欠点があった。さらに、強い風雨の際には、洗濯物が横なぐりの雨で濡れてしまう虞れがあった。
【先行技術文献】
【特許文献】
【０００４】
【特許文献１】実用新案登録第３２０４７７９号公報
【考案の概要】
【考案が解決しようとする課題】
【０００５】
解決しようとする課題は、不使用時に折畳み難い点、及び、強い風雨の際に洗濯物が濡れてしまう点である。
【課題を解決するための手段】
【０００６】
そこで、本考案に係る物干し用雨よけ具は、下方開口状の三角屋根付家型の使用状態に展開可能なシート体と、該シート体を上記三角屋根付家型に保持するための補強芯材と、を備え、上記補強芯材は、物干竿に上方から嵌込んで弾発挟持する弯曲状外嵌部と、上記シート体の屋根部の長手方向端縁部に取着されて三角屋根形状を保持するために上記弯曲状外嵌部から前後方向に下方傾斜状に延設された一対の延伸腕部とを、備えているものである。
【０００７】
また、下方開口状の三角屋根付家型の使用状態に展開可能なシート体と、該シート体を上記三角屋根付家型に保持するための補強芯材と、を備え、上記補強芯材が、２つの補強芯材半体を相互に枢結したものであって、各上記補強芯材半体が、上記２つの補強芯材半体が共働して物干竿を掴持するための掴持部と、三角屋根形状を保持するために上記掴持部から延設された延伸腕部を、備え、上記２つの補強芯材半体が、弾発バネによって、２つの上記掴持部が物干竿を掴持する方向へ弾発付勢されているものである。
また、上記シート体の側面膜部を、着脱自在としたものである。
【考案の効果】
【０００８】
本考案の物干し用雨よけ具によれば、不使用時に、容易に折畳んでコンパクトに収納することができる。さらに、強い風雨であっても、洗濯物が濡れ難く、家を留守としていても安心である。
【図面の簡単な説明】
【０００９】
【図１】本考案の第１の実施の形態の使用状態を示す斜視図である。
【図２】側面図である。
【図３】図２のＢ−Ｂ断面拡大図である。
【図４】側面膜部を示す側面図である。
【図５】図１のＡ−Ａ断面拡大図である。
【図６】第２の実施の形態を示す要部拡大断面図である。
【図７】第３の実施の形態を示す図であって、（Ａ）は側面図、（Ｂ）は補強芯材半体を示す図、（Ｃ）は要部拡大図である。
【考案を実施するための形態】
【００１０】
以下、図示の実施の形態に基づいて本考案を詳説する。
図１は、本考案に係る物干し用雨よけ具の第１の実施の形態の使用状態を示す。この物干し用雨よけ具は、雨の日に、洗濯物Ｚを干す際、洗濯物Ｚが雨に濡れるのを防止するために、物干竿Ｙに取着して使用する。下方開口状の三角屋根付家型の使用状態に展開可能なシート体１と、シート体１を三角屋根付家型に保持するための補強芯材２と、を備える。シート体１は、プラスチックから成る。例えば、シート体１は、ビニール、ポリエステル、ポリエチレン、ナイロン等から成る。シート体１は、前後上面膜部７と側面膜部５とを、備える。
【００１１】
シート体１の厚さ寸法Ｔを、0.08mm≦Ｔ≦0.12mmに設定する。厚さ寸法Ｔが上記範囲にある場合、不使用時に、容易に折畳んでコンパクトに収納することができるとともに、適度な強度を有する。厚さ寸法Ｔが、Ｔ＜0.08の場合、強度不足となる。厚さ寸法Ｔが、0.12mm＜Ｔの場合、不使用時に折畳み難くなる。
【００１２】
図２に示すように、補強芯材２は、物干竿Ｙ（図１参照）に上方から嵌込んで弾発挟持する弯曲状外嵌部４と、シート体１の屋根部１ａの長手方向端縁部１ｂ（図１参照）に取着されて三角屋根形状を保持するために弯曲状外嵌部４から前後方向に下方傾斜状に延設された一対の延伸腕部３とを、備える。
【００１３】
図１〜図３・図５に示すように、シート体１の屋根部１ａの長手方向端縁部１ｂに、補強芯材２を挿入自在な帯袋部10を有する。帯袋部10に補強芯材２が挿入されて、シート体１の形状を保持する。帯袋部10の長さ寸法Ｌ1 と、延伸腕部３の長さ寸法Ｌ0 を、Ｌ0 ×２／３≦Ｌ1 ≦Ｌ0 に、設定する。帯袋部10の長さ寸法Ｌ1 が、上記範囲にある場合、シート体１の形状を適切に保持することができる。Ｌ1 ＜Ｌ0 ×２／３の場合、シート体１の形状を適切に保持することができない。Ｌ0 ×２／３＜Ｌ1 の場合、帯袋部10が、シート体１の肩部１ｃからはみ出す。
【００１４】
８は、連結部材であって、２つの延伸腕部３の弯曲状外嵌部４近傍を、相互に着脱自在に連結する。この連結部材８によって、風で補強芯材２が物干竿Ｙから離脱しないように構成される。連結部材８は、例えば、鎖、ベルト体、紐体等から成る。
【００１５】
図３に示すように、補強芯材２の幅寸法Ｗを、２cm≦Ｗ≦５cmに設定する。幅寸法Ｗが上記範囲にある場合、補強芯材２が風で物干竿Ｙに対してスライドすることを抑制することができる。幅寸法Ｗが、Ｗ≦２cmの場合、補強芯材２が風で物干竿Ｙに対してスライドする虞れがある。幅寸法Ｗが、５cm≦Ｗの場合、補強芯材２が不必要に大きくなり、収納時にかさばる。
【００１６】
図１・図４・図５に示すように、シート体１の側面膜部５が、面状ファスナー９により、前後上面膜部７に着脱自在とされる。側面膜部５は略五角形状に形成される。側面膜部５を前後上面膜部７に取着した状態で、上部に、風を通すための三角形状窓部11が形成される。風が通ることにより、洗濯物Ｚを早く乾燥させることができる。
【００１７】
図６は第２の実施の形態を示す。補強芯材２の断面形状が、中央部に弯曲山型部17を有する。補強芯材２の強度及び弾発復元力を大きくすることができる。その他の構成は、第１の実施の形態と同様である。
【００１８】
図７は、第３の実施の形態を示す。図７（Ａ）は側面図、図７（Ｂ）は補強芯材半体12を示す図、図７（Ｃ）は要部拡大図である。補強芯材２が、２つの補強芯材半体12を枢結ピン16にて相互に枢結したものである。各補強芯材半体12が、２つの補強芯材半体12が共働して物干竿Ｙを掴持するための掴持部13と、三角屋根形状を保持するために掴持部13から延設された延伸腕部14を、備える。２つの補強芯材半体12が、弾発バネ15によって、２つの掴持部13が物干竿Ｙを掴持する方向（図７（Ｃ）の矢印Ｅ方向）へ弾発付勢されている。弾発バネ15は、例えば、鋏みバネから成る。その他の構成は、第１の実施の形態と同様である。
【００１９】
なお、本考案は、設計変更可能であって、例えば、シート体１の側面膜部５をボタン、スナップ等により、前後上面膜部７に着脱自在とするも良い。また、シート体１の帯袋部10を省略して、面状ファスナーにて、シート体１と補強芯材２を着脱自在に取着するも良い。
【００２０】
以上のように、本考案は、下方開口状の三角屋根付家型の使用状態に展開可能なシート体１と、該シート体１を上記三角屋根付家型に保持するための補強芯材２と、を備え、上記補強芯材２は、物干竿Ｙに上方から嵌込んで弾発挟持する弯曲状外嵌部４と、上記シート体１の屋根部１ａの長手方向端縁部１ｂに取着されて三角屋根形状を保持するために上記弯曲状外嵌部４から前後方向に下方傾斜状に延設された一対の延伸腕部３とを、備えているので、不使用時に、容易に折畳んでコンパクトに収納することができる。また、鳥のフンが洗濯物Ｚに付着するのを防止することもできる。また、強い風雨の際にも洗濯物Ｚが濡れずに済み、兼業主婦等のような留守がちの主婦にとっては至便である。
【００２１】
また、下方開口状の三角屋根付家型の使用状態に展開可能なシート体１と、該シート体１を上記三角屋根付家型に保持するための補強芯材２と、を備え、上記補強芯材２が、２つの補強芯材半体12を相互に枢結したものであって、各上記補強芯材半体12が、上記２つの補強芯材半体12が共働して物干竿Ｙを掴持するための掴持部13と、三角屋根形状を保持するために上記掴持部13から延設された延伸腕部14を、備え、上記２つの補強芯材半体12が、弾発バネ15によって、２つの上記掴持部13が物干竿Ｙを掴持する方向へ弾発付勢されているので、不使用時に、容易に折畳んでコンパクトに収納することができる。また、鳥のフンが洗濯物Ｚに付着するのを防止することもできる。また、強い風雨の際にも洗濯物Ｚが濡れずに済み、兼業主婦等のような留守がちの主婦にとっては至便である。
【００２２】
また、上記シート体１の側面膜部５を、着脱自在としたので、洗濯物Ｚを干す際、及び、取り入れる際に、容易に作業をすることができる。また、容易に製造することができる。
【符号の説明】
【００２３】
１  シート体
１ａ  屋根部
１ｂ  長手方向端縁部
２  補強芯材
３  延伸腕部
４  弯曲状外嵌部
５  側面膜部
12  補強芯材半体
13  掴持部
14  延伸腕部
15  弾発バネ
Ｙ  物干竿
【図１】
0003210045.tif 000003
【図２】
0003210045.tif 000004
【図３】
0003210045.tif 000005
【図４】
0003210045.tif 000006
【図５】
0003210045.tif 000007
【図６】
0003210045.tif 000008
【図７】
0003210045.tif 000009